(57)【要約】      （修正有）【課題】複合筆記具において、そのシャープペンシル筆記体への芯の補充する際に、複合筆記具ではない通常の単一の筆記具と同様に、芯を軸筒の後端から挿入することができるようすると共に、ガイド軸を設ける構成として、ガイド軸が設けられていても芯挿通路を確保することができるようにする。【解決手段】シャープペンシル筆記体１２に連結されるスライダ１６を軸筒内を前後方向に誘導するガイド軸２４が後軸２２内を伸びている。後軸２２の内周面には、内径方向に突出する環状の係止段部２２ａが形成されて、ガイド軸２４の後端部には、係止段部２２ａに係止される複数の係止片２４ｂが形成されており、芯誘導体２８が後軸内に回転可能に配設され、芯誘導体２８はシャープペンシル筆記体１２の芯ケースパイプ５０とほぼ同一線上で芯ケースパイプ５０の後端開口に連通する芯誘導部２８ｂとを有している。【選択図】  図６
2004181836.tif 000002
【特許請求の範囲】
【請求項１】
少なくとも１本をシャープペンシル筆記体とした複数の筆記体を収納し、先軸と、先軸に対して相対回転可能となり内部にカム部を備える後軸とを有し、後軸を先軸に対して相対回転させることにより、カム部によって複数の筆記体のうちのいずれかの筆記体の先端を選択的に先軸の先端から突出可能である複合筆記具において、
前記先軸に一体回転可能に連結されて前記筆記体を前後方向に誘導するガイド軸が前記後軸内を伸びており、前記後軸の内周面には、内径方向に突出する環状の係止段部が形成されて、ガイド軸の後端部には、該係止段部の内径側中空部を通過すると共にその係止段部に係止される複数の係止片が形成されており、該複数の係止片の間には後軸に対して相対回転可能な芯誘導体が配設され、芯誘導体は、さらに前方に伸びて前記シャープペンシル筆記体の芯ケースの後端開口に連通する芯誘導部を有すると共に、その周面に前記複数の係止片が嵌合する複数の凹部が形成されており、係止片と共に前記後軸に形成された環状の係止段部の内径側中空部を通過することを特徴とする複合筆記具。
【請求項２】
前記筆記体の後端には、前記カム部と協働するスライダが設けられており、該スライダが前記ガイド軸によって前後方向に誘導されることを特徴とする請求項１記載の複合筆記具。
【請求項３】
前記芯誘導体は前記複数の係止片の間に配設されて前記凹部が形成された本体部を有しており、該本体部と芯誘導部との間に渡って、芯挿入孔が貫通して形成されることを特徴とする請求項１または２記載の複合筆記具。
【請求項４】
前記芯挿入孔は、前記本体部の隣接する２つの凹部の間に形成されることを特徴とする請求項３に記載の複合筆記具。
【請求項５】
前記ガイド軸の係止片は、前記芯誘導体によって、内径方向への変位が阻止されることを特徴とする請求項１ないし４のいずれか１項に記載の複合筆記具。
【請求項６】
前記芯誘導体は、ガイド軸の係止片と共にその断面が円形の外輪郭を形成することを特徴とする請求項１ないし５のいずれか１項に記載の複合筆記具。
【発明の詳細な説明】
【０００１】
【発明の属する技術分野】
本発明は、軸筒内に少なくとも一本をシャープペンシル筆記体とした複数の筆記体が収納されて、選択的に所望の筆記体の先端を先軸の先端から突出させて筆記位置へと切替えるようにできる複合筆記具に関し、特に、そのシャープペンシル筆記体への芯の補充について改良した複合筆記具に関する。
【０００２】
【従来の技術】
複合筆記具において、そのシャープペンシル筆記体への芯の補充をする際に、複合筆記具ではない通常の単一の筆記具と同様に、芯を軸筒の後端から挿入することができるようにして、芯の補充操作を容易にすることができるようにしたものが、従来から提案されている（例えば、特許文献１、特許文献２参照。）。
【０００３】
例えば、特許文献１に開示する複合筆記具では、シャープペンシル筆記体の芯ケースパイプの後端に固定された摺動コマの後端に芯ケースパイプに連通する芯挿通孔が設けられており、また、摺動コマの後端側に設けたカム斜面と接触するカム斜面を有した円筒カムの内側にカム斜面と略類似の斜面が設けられており、摺動コマがその斜面に対して常に最小の隙間で対接するようになっており、その摺動コマが最後退側にあるときにその芯挿通孔に合致する芯挿通孔が円筒カムに設けられ、円筒カムの芯挿通孔を開口状態と閉塞状態に設定可能にする芯止め装置が円筒カムに取り付けられている。芯を補充するときには、シャープペンシル筆記体を最後退側にして、芯止め装置を後方に引き、円筒カムの芯挿通孔を開口状態にした後、開口状態になった芯挿通孔から芯を挿入する。
【０００４】
また、特許文献２に開示する複合筆記具では、シャープペンシル筆記体の芯ケースパイプの後端に入れ子式に円筒チューブの先端が挿入されており、円筒チューブの後端はハウジングの後端近くまで延出している。そして、芯を補充するときには、ハウジングの後方にあるキャップを取り除き、円筒チューブの後端から芯を挿入する。
【０００５】
【特許文献１】
特開平１１−３１４４９１号公報（第１欄１２行〜２０行）
【特許文献２】
米国特許第６，３１５，４７７号明細書
【０００６】
【発明が解決しようとする課題】
しかしながら、上記特許文献１に記載のものでは、シャープペンシル筆記体を最後退側にして、摺動コマの芯挿通孔と円筒カムの芯挿通孔とを一致させるようにしないと、芯を補充することができないという課題がある。これに対して特許文献２に記載のものは、シャープペンシル筆記体がどのような状態にあっても芯を補充することができる。
【０００７】
ところで、複数の筆記体を軸筒内で円滑に前後移動させるためには、先軸と一体回転し、摺動コマ（またはスライダとも言う）を前後方向に誘導するためのガイド軸を、後軸内で設けることが望ましい。その一方で、ガイド軸を設けると、ガイド軸を後軸の後端部内に取り付けるための構成及び空間が必要になり、シャープペンシル筆記体への芯挿通路を確保することが困難になるという問題がある。上記特許文献１及び２に記載の構成では、ガイド軸が設けられていない構成であるために、後軸の後端部の空間を比較的自由に芯挿通路として利用することができるが、ガイド軸を確実に後軸に取り付けることができ、且つシャープペンシル筆記体が最後退、最前進またはその中間のどのような位置にあっても芯を補充することができる構成については、何ら開示されていない。
【０００８】
本発明はかかる課題に鑑みなされたもので、その目的は、ガイド軸が設けられていても芯挿通路を確保することができ、シャープペンシル筆記体が最後退位置から最前進位置までのいずれの位置にあっても芯を後方からシャープペンシル筆記体に補充することができる複合筆記具を提供することである。
【０００９】
【課題を解決するための手段】
上記目的を達成するために、本発明のうち請求項１記載の発明は、少なくとも１本をシャープペンシル筆記体とした複数の筆記体を収納し、先軸と、先軸に対して相対回転可能となり内部にカム部を備える後軸とを有し、後軸を先軸に対して相対回転させることにより、カム部によって複数の筆記体のうちのいずれかの筆記体の先端を選択的に先軸の先端から突出可能である複合筆記具において、
前記先軸に一体回転可能に連結されて前記筆記体を前後方向に誘導するガイド軸が前記後軸内を伸びており、前記後軸の内周面には、内径方向に突出する環状の係止段部が形成されて、ガイド軸の後端部には、該係止段部の内径側中空部を通過すると共にその係止段部に係止される複数の係止片が形成されており、該複数の係止片の間には後軸に対して相対回転可能な芯誘導体が配設され、芯誘導体は、さらに前方に伸びて前記シャープペンシル筆記体の芯ケースの後端開口に連通する芯誘導部を有すると共に、その周面に前記複数の係止片が嵌合する複数の凹部が形成されており、係止片と共に前記後軸に形成された環状の係止段部の内径側中空部を通過することを特徴とする。
【００１０】
ガイド軸は、その係止片が後軸の係止段部に係止されることによって、後軸に対して回転可能に確実に取り付けられる。そして、芯誘導体は、ガイド軸の係止片と共に後軸の係止段部の内径側中空部を通過するために、後軸の係止段部が形成された狭い空間を効率的に利用することができ、芯誘導体による芯挿通路を確保することができる。芯誘導体は、ガイド軸と共に回転することができるため、シャープペンシル筆記体が最後退位置から最前進位置までのいずれの位置にあっても、言い換えればシャープペンシル筆記体が後軸に対してどのような回転位置にあっても、芯誘導体の芯誘導部は、常に、シャープペンシル筆記体の芯ケースとほぼ同一線上で芯ケースの後端開口に連通しており、芯を補充することができる。また、ガイド軸が筆記体を誘導するために、筆記体が円滑に前後方向に移動することができる。
【００１１】
請求項２記載の発明は、請求項１記載のものにおいて、前記筆記体の後端には、前記カム部と協働するスライダが設けられており、該スライダが前記ガイド軸によって前後方向に誘導されることを特徴とする。スライダがガイド軸によって誘導されるために、筆記体が円滑に前後方向に移動することができる。
【００１２】
請求項３記載の発明は、請求項１または２記載のものにおいて、前記芯誘導体は前記複数の係止片の間に配設されて前記凹部が形成された本体部を有しており、該本体部と芯誘導部との間に渡って、芯挿入孔が貫通して形成されることを特徴とする。芯挿入孔を通して芯を補充することができる。
【００１３】
請求項４記載の発明は、請求項３記載のものにおいて、前記芯挿入孔が、前記本体部の隣接する２つの凹部の間に形成されることを特徴とする。この構成によって、芯挿入孔による芯挿通路と、凹部に嵌合されるガイド軸の係止片とが競合／干渉することなく、後軸の係止段部が形成された狭い空間を効率的に利用することができる。
【００１４】
請求項５記載の発明は、請求項１ないし４のいずれか１項に記載のものにおいて、前記ガイド軸の係止片は、前記芯誘導体によって、内径方向への変位が阻止されることを特徴とする。芯誘導体によって、係止片は内径方向へ変位することができないために、係止片は、係止段部から係止が外れることが防止される。これによって、ガイド軸は外軸に対して確実に取り付けられる。
【００１５】
請求項６記載の発明は、請求項１ないし５のいずれか１項に記載のものにおいて、前記芯誘導体は、ガイド軸の係止片と共にその断面が円形の外輪郭を形成することを特徴とする。この構成によって、芯誘導体及びガイド軸の係止片が、環状の係止段部の内径側中空部内で円滑に回転することができる。
【００１６】
【発明の実施の形態】
以下、図面を用いて本発明の実施の形態を説明する。
【００１７】
図１は、本発明の実施形態に係る複合筆記具を表す全体縦断面図である。図において、軸筒１０内には、複数の筆記体１２、１４、１５（１本は手前側にあるため図示せず）が収納されており、その中の１本がシャープペンシル筆記体１２、残りの２本がボールペン筆記体１４、１５となっている。尚、その中の２本または全てがシャープペンシル筆記体であってもよい。また、軸筒１０内に収納される筆記体の本数は、３本に限ることなく、２本以上であればよい。
【００１８】
軸筒１０は、先軸２０と、先軸２０と相対回転可能な後軸２２とからなる。先軸２０と後軸２２とは、ガイド軸２４を介して着脱可能に連結される。即ち、先軸２０の後端部内周面には雌ネジ部２０ａが形成されており、該雌ネジ部２０ａは、ガイド軸２４の先端部外周面に形成された雄ネジ部２４ａに着脱可能に螺着される。ガイド軸２４は、後軸２２の内部を延びており、その後端部に形成された複数の係止片２４ｂが、後軸２２の内周面に形成された環状の係止段部２２ａに係止されて、後軸２２に対して相対回転可能に且つ取り外し不能に取り付けられている。
【００１９】
ガイド軸２４は、図２に示したように、筆記体の本数に合わせて、その外周面に複数の凹状のスライド溝２４ｃが等角度間隔で形成されている。そして、そのスライド溝２４ｃを各筆記体１２、１４、１５の後端に取り付けられたスライダ１６、１８、１９がスライド可能となっている。また、ガイド軸２４の雄ネジ部２４ａの直ぐ後方には、仕切り部２４ｄが形成されており、この仕切り部２４ｄとスライダ１６、１８、１９との間には、バネ２６が介挿されて、スライダ１６、１８、１９を常時後方へと押圧している。ガイド軸２４の後端部には、スライド溝２４ｃの形成されていない外周面の部分からさらに後方へと伸びる前記係止片２４ｂが形成されている。さらに、各係止片２４ｂの先端部には、外径方向に突出する鉤状突起２４ｅが形成されている。係止片２４ｂの個数は、この場合、筆記体の本数と同じ個数となっているが、これに限るものではなく異なっていてもよい。寧ろ、安定的に係止片２４ｂの鉤状突起２４ｅが環状の係止段部２２ａに係止される見地からは、好ましくは、筆記体の本数とは関係なく、係止片２４ｂが３本程度であるとよい。係止片２４ｂは、後軸２２の内周面に形成された環状の係止段部２２ａの内径側中空部を通過して、その鉤状突起２４ｅが、係止段部２２ａの後端面に係止される。こうして、ガイド軸２４は、後軸２２に対して相対回転可能に且つ取り外し不能に取り付けられる。
【００２０】
後軸２２の内周面には、前方にＶ字状に先鋭されたカム突起（カム部）２２ｂが内径方向に突設される。カム突起２２ｂの先端部には、小さな凹部２２ｃが形成されている。一方、スライダ１６、１８、１９の外周面には、小さなカム突起１６ａ、１８ａ、１９ａが外径方向に突設されており、カム突起１６ａ、１８ａ、１９ａは、カム突起２２ｂのＶ字状の境界面に沿って移動可能であり、且つ凹部２２ｃにおいて、凹部２２ｃに係合可能となっている。
【００２１】
シャープペンシル筆記体１２は、その先端部において、芯の繰り出しを行う芯繰り出し機構４０を有しており、芯繰り出し機構４０は、公知のように、芯を締め付け及び送り出しを行う締付チャック４２と、締付チャック４２をさらに外周側から締め付けるチャックリング４４と、締付チャック４２を後方へ付勢するチャックスプリング４６等を有している。さらに、シャープペンシル筆記体１２は、締付チャック４２が直接または継手４８を介して連結される芯ケースパイプ５０を有しており、芯ケースパイプ５０のパイプ孔内には、予備の芯が収納される。芯ケースパイプ５０の後端は、前記スライダ１６内に挿入される。図６に示したように、スライダ１６には、芯挿通孔１６ｂが形成されており、芯挿通孔１６ｂは、芯ケースパイプ５０のパイプ孔に連通している。それ以外のボールペン筆記体１４、１５は、インキが収納されたレフィールを有しており、レフィールの後端が前記スライダ１８、１９内に挿入される。
【００２２】
後軸２２の後部の内部には、後軸２２に対して相対回転可能な芯誘導体２８が配設される。芯誘導体２８は、図３に示したように、ガイド軸２４の複数の係止片２４ｂの間に配設される本体部２８ａと、該本体部２８ａから前方方向に延びるパイプ状の芯誘導部２８ｂとを有しており、本体部２８ａと芯誘導部２８ｂとを貫通して、１本の芯が挿通可能な芯挿入孔２８ｃが形成されている。本体部２８ａは、前記ガイド軸２４の３つのスライド溝２４ｃに挿入可能となった３つのブロック２８ｅ、２８ｅ、２８ｅを有しており、各ブロック２８ｅとの間に形成された隙間が本体部２８ａの周面に形成された凹部２８ｄを構成している。そして、この凹部２８ｄには、前記ガイド軸２４の係止片２４ｂが嵌合する。係止片２４ｂが凹部２８ｄに嵌合する状態で、図５に示すように、３つのブロック２８ｅからなる本体部２８ａと係止片２４ｂは、係止片２４ｂの鉤状突起２４ｅの形成されている部分を除き、円形の外形輪郭を構成し、前記後軸２２の係止段部２２ａの内径側中空部を通過しており、芯誘導体２８はガイド軸２４と共に後軸２２に対して回転可能となっている。また、図５に示すように、芯挿入孔２８ｃは、凹部２８ｄと隣接する凹部２８ｄとの間となる１つのブロック２８ｅに形成されているために、係止片２４ｂと競合／干渉することがないように、配置されている。
【００２３】
芯誘導体２８の芯誘導部２８ｂは、前記スライド溝２４ｃ内を延びており、その先端は、前記スライダ１６の芯挿通孔１６ｂ内に後方から挿入される。これにより、スライダ１６を介して芯誘導体２８の芯挿入孔２８ｃは、芯ケースパイプ５０のパイプ孔に連通している。
【００２４】
後軸２２の後端部には、クリップキャップ３０が圧入により連結され、さらに、クリップキャップ３０または後軸２２の後端部には、消しゴム３４付き消しゴム受け３２及びノックキャップ３６が着脱可能に嵌め入れられている。
【００２５】
以上のように構成される複合筆記具において、後軸２２を先軸２０に対して回転させると、後軸２２とガイド軸２４との間で相対回転が発生するので、ガイド軸２４のガイド溝２４ｃにはめ込まれたスライダ１６、１８、１９が後軸２２に対して相対的に回転する。そして、スライダ１６、１８、１９のカム突起１６ａ、１８ａ、１９ａは、後軸２２のカム突起２２ｂの境界面に沿って移動して、いずれかのスライダがカム突起２２ｂの先端の凹部２２ｃに係合すると、そのスライダに連結された筆記体の先端が先軸２０の先端から突出して筆記位置に維持される。また、それ以外のスライダのカム突起は、カム突起２２ｂの凹部２２ｃよりも後方にあって、それらのスライダに連結された筆記体は、先軸２０の先端よりも後方の退没位置に維持される。さらに、後軸２２を先軸２０に対して回転すると、その筆記位置に維持する筆記体を切替えることができ、または、すべての筆記体を退没位置に維持することもできる。以上の動作において、ガイド軸２４が回転すると、前記芯誘導体２８も一緒に回転する。
【００２６】
シャープペンシル筆記体１２の芯の補充を行う際には、図６または図７に示すように、前記ノックキャップ３６及び消しゴム受け３２をクリップキャップ３０または後軸２２から取り外す。すると、芯誘導体２８の後端面が露出して、芯挿入孔２８ｃから芯Ｌを挿入することができるようになる。芯挿入孔２８ｃから挿入された芯Ｌは、スライダ１６の芯挿通孔１６ｂを通り、芯ケースパイプ５０のパイプ孔内へと移動する。こうして、芯の補充を、単一の筆記具の手順と同様に複合筆記具の後方から行うことができる。芯誘導体２８はガイド軸２４と常に一体的に回転し、よって、常に芯誘導体２８の芯誘導部２８ｂは、スライダ１６の芯挿通孔１６ｂ及び芯ケースパイプ５０のパイプ孔と連通した関係を保持しているために、シャープペンシル筆記体１２が退没位置にあっても（図６）、または筆記位置にあっても（図７）、いずれの位置においても芯を補充することができる。
【００２７】
シャープペンシル筆記体１２に補充された芯を使用する場合は、シャープペンシル筆記体１２が筆記位置にある状態で、ノックキャップ３６をノックして、後軸２２を先軸２０に対して前進させると、そのノック力がカム突起２２ｂからスライダ１６に伝達して、芯ケースパイプ５０が前進する。これにより、芯繰り出し機構４０の動作により芯を繰り出すことができる。
【００２８】
この発明では、芯誘導体２８の本体部２８ａは、ガイド軸２４の係止片２４ｂと共に円形の外形輪郭を形成して、前記係止段部２２ａの内径側中空部を通過しているために、係止段部２２ａの狭い空間を効率的に利用している。そして、芯挿入孔２８ｃは、互いに隣接する凹部２８ｄ、２８ｄの間にある１つのブロック２８ｅに形成されているために、係止片２４ｂと干渉することがなく、狭い空間を効率的に利用することができるようになっている。
【００２９】
また、芯誘導体２８の本体部２８ａの凹部２８ｄに係止片２４ｂが嵌合しているために、係止片２４ｂは内径方向に変位することができず、よって、係止片２４ｂの鉤状突起２４ｅが後軸２２の係止段部２２ａから外れることはない。ガイド軸２４を後軸２２に対して組み付ける作業を行う際には、ガイド軸２４を後軸２２の前方から挿入し、係止片２４ｂの弾性力を利用して、係止片２４ｂを内径方向に変位させて、その鉤状突起２４ｅに後軸２２の係止段部２２ａの内径側中空部を通過させた後、鉤状突起２４ｅを係止段部２２ａに係止させる。その後、芯誘導体２８を後軸２２の後方から挿入して、その本体部２８ａを複数の係止片２４ｂの間に配置する。よって以降は、本体部２８ａによって係止片２４ｂが内径方向に変位できないために、ガイド軸２４が後軸２２から取り外れることを防ぐことができる。
【００３０】
【発明の効果】
以上説明したように、本発明によれば、ガイド軸を、その係止片が後軸の係止段部に係止されることによって、後軸に対して回転可能に確実に取り付けることができ、さらに、芯誘導体は、ガイド軸の係止片と共に後軸の係止段部の内径側中空部を通過するために、後軸の係止段部が形成された狭い空間を効率的に利用することができ、芯誘導体に形成された芯挿入孔による芯挿通路を確保することができる。芯誘導体は、ガイド軸と共に回転することができるため、シャープペンシル筆記体が最後退位置から最前進位置までのいずれの位置にあっても、言い換えればシャープペンシル筆記体が後軸に対してどのような回転位置にあっても、芯誘導体の芯誘導部は、常に、シャープペンシル筆記体の芯ケースとほぼ同一線上で芯ケースの後端開口に連通しており、芯を補充することができる。
【図面の簡単な説明】
【図１】本発明の実施形態に係る複合筆記具の全体縦断面図である。
【図２】要部部品の分解斜視図である。
【図３】（ａ）は芯誘導体の側面図、（ｂ）は（ａ）のｂ線矢視図、（ｃ）は（ａ）のｃ線矢視図である。
【図４】ガイド軸及び芯誘導体の組み合わされた状態の斜視図である。
【図５】図４の５−５線に沿ってみた断面図である。
【図６】シャープペンシル筆記体が退没位置にある状態で、芯を補充する際の複合筆記具の後部の断面図である。
【図７】シャープペンシル筆記体が筆記位置にある状態で、芯を補充する際の複合筆記具の後部の断面図である。
【符号の説明】
１０  軸筒
１２  シャープペンシル筆記体
１４、１５  筆記体
１６、１８、１９  スライダ
２０  先軸
２２  後軸
２２ａ  係止段部
２２ｂ  カム突起（カム部）
２４  ガイド軸
２４ｂ  係止片
２８  芯誘導体
２８ａ  本体部
２８ｂ  芯誘導部
２８ｃ  芯挿入孔
２８ｄ  凹部
５０  芯ケースパイプ
【図１】
2004181836.tif 000003
【図２】
2004181836.tif 000004
【図３】
2004181836.tif 000005
【図４】
2004181836.tif 000006
【図５】
2004181836.tif 000007
【図６】
2004181836.tif 000008
【図７】
2004181836.tif 000009
【手続補正書】
【提出日】平成15年2月6日(2003.2.6)
【手続補正１】
【補正対象書類名】図面
【補正対象項目名】図７
【補正方法】変更
【補正の内容】
【図７】
2004181836.tif 000010